(57)【要約】【課題】防滴処理を施したスピーカを使用せず、かつ、防水シートを装着した状態でも音量に影響を及ぼし難い電気機器の防水構造を提供する。【解決手段】機器本体１０および機器本体１０の少なくとも一部を覆う封止体２０を有する筺体Ｙと、筺体Ｙの内部に設けられ、外部環境の変化を検知する検知部からの出力信号を受けて報知するスピーカ部３２と、を備えた電気機器Ｘの防水構造において、封止体２０には、スピーカ部３２が発した警報音を外部に放音するスピーカ開口部２４を形成し、スピーカ部３２および封止体２０の間に、スピーカ開口部２４からスピーカ部３２および筺体Ｙの内部へ水が浸入するのを防止する防水シート３２ｃを設け、防水シート３２ｃからスピーカ部３２の距離Ｌ１より、防水シート３２ｃから封止体２０の距離Ｌ２の方が大きくなるように設定してある。【選択図】図３
2014086962.tif 000002
【特許請求の範囲】
【請求項１】
機器本体および当該機器本体の少なくとも一部を覆う封止体を有する筺体と、
前記筺体の内部に設けられ、外部環境の変化を検知する検知部からの出力信号を受けて報知するスピーカ部と、を備えた電気機器の防水構造において、
前記封止体には、前記スピーカ部が発した警報音を外部に放音するスピーカ開口部を形成し、
前記スピーカ部および前記封止体の間に、前記スピーカ開口部から前記スピーカ部および前記筺体の内部へ水が浸入するのを防止する防水シートを設け、
前記防水シートから前記スピーカ部の距離より、前記防水シートから前記封止体の距離の方が大きくなるように設定してある電気機器の防水構造。
【請求項２】
前記封止体における前記防水シートの側に、当該防水シートに向けて突出する内方リブを複数設け、前記スピーカ開口部を複数のスリットにより形成し、前記複数の内方リブを前記スリットに沿って設けてある請求項１に記載の電気機器の防水構造。
【発明の詳細な説明】
【技術分野】
【０００１】
本発明は、屋内や屋外で壁面に設置される防災用又は防犯用の電気機器の防水構造に関する。
【背景技術】
【０００２】
例えば電気機器として、特許文献１には、スピーカを収容する筐体を備えたガス警報器が開示されている。当該筺体には、当該筐体を貫通する放音孔（スリット）と、当該放音孔を囲むように筐体内部に向かって立設すると共にその開口が前記スピーカで塞がれた筒壁と、が設けられている。
【０００３】
このガス警報器のスピーカは以下の防水構造を有する。即ち、筒壁の先端内側に円形環状の座面が一段低く形成され、当該座面に一条のリブが円形環状に突設され、スピーカの環状の周壁を有する鍔部内に円形環状で断面平型のパッキンが配置され、スピーカの装着時にリブがパッキンに食い込み、筒壁の外側の固定部に固定された押さえ板で鍔部がパッキンと共にリブに向けて押圧される。
【０００４】
このような構成により、パッキンの外周面がスピーカの鍔部の周壁の内面に密着した状態で、リブがパッキンの外周面とは直交する面（押圧面）に食い込むことで、リブに対するパッキンの位置が幅方向に正確に規定される。そのため、外部の水が放音孔から筺体の内部に浸入しようとした場合であっても、スピーカおよび当該スピーカを経由して筺体の内部へ水が浸入するのを防止することができる。また、押さえ板でパッキンがリブに押し付けられ、リブがパッキンに食い込み、押さえ板でその状態が維持されることで、温度変化等でパッキンが収縮・膨張した際においても、リブとパッキンとの密着性が良好に維持されるため、確実な防水シール性が発揮される。
【先行技術文献】
【特許文献】
【０００５】
【特許文献１】特開２０１１−１８８４２３号公報
【発明の概要】
【発明が解決しようとする課題】
【０００６】
特許文献１に記載のガス警報器に設けられたスピーカは、パッキンが予め装着された状態となっている防滴スピーカを使用している。このような防滴スピーカは一般に高価であるため、当該防滴スピーカを装着したガス警報器は高価なものとなる。
【０００７】
一方、このような防滴処理を施さない通常のスピーカを設けたガス警報器において、筺体の放音孔（スリット）を塞ぐように当該筺体に防水シートを貼着して、外部の水が放音孔から筺体の内部に浸入するのを防止する場合がある。この場合、スピーカから発せられる警報音の音量や音質が低下する場合があった。
【０００８】
従って、本発明の目的は、防滴処理を施したスピーカを使用せず、かつ、防水シートを装着した状態でも音量や音質に影響を及ぼし難い電気機器の防水構造を提供することにある。
【課題を解決するための手段】
【０００９】
上記目的を達成するための本発明に係る電気機器の防水構造の第一特徴構成は、機器本体および当該機器本体の少なくとも一部を覆う封止体を有する筺体と、前記筺体の内部に設けられ、外部環境の変化を検知する検知部からの出力信号を受けて報知するスピーカ部と、を備えた電気機器の防水構造において、前記封止体には、前記スピーカ部が発した警報音を外部に放音するスピーカ開口部を形成し、前記スピーカ部および前記封止体の間に、前記スピーカ開口部から前記スピーカ部および前記筺体の内部へ水が浸入するのを防止する防水シートを設け、前記防水シートから前記スピーカ部の距離より、前記防水シートから前記封止体の距離の方が大きくなるように設定した点にある。
【００１０】
本構成の電気機器の防水構造は、従来のように放音孔を塞ぐように筺体に防水シートを貼着して外部の水が放音孔から筺体の内部に浸入するのを防止する構造より、当該防水シートをスピーカ部の側に近づけている。本発明者らは、防水シートからスピーカ部の距離より、防水シートから封止体の距離の方が大きくなるように設定すれば、スピーカ部から発せられる警報音の音量や音質が低下し難くなることを見出した。
【００１１】
そのため、例えば防滴処理を施していないスピーカ部を備えた既設のガス警報器において、防水シートを配置する際に、防水シートからスピーカ部の距離、および、防水シートから封止体の距離を設定するだけで、警報音の音量や音質が低下し難い防水処理を簡便に施すことができる。
【００１２】
このように本発明の電気機器の防水構造は、高価な防滴スピーカを使用する必要はないため、電気機器のコストを抑制することができる。
【００１３】
本発明に係る電気機器の防水構造の第二特徴構成は、前記封止体における前記防水シートの側に、当該防水シートに向けて突出する内方リブを複数設け、前記スピーカ開口部を複数のスリットにより形成し、前記複数の内方リブを前記スリットに沿って設けた点にある。
【００１４】
本構成によれば、隣接する内方リブどうしの間で通路状の空間を形成することができ、当該空間を経由して、スリットから警報音を外部に放音することができる。そのため、外部に放音するまでは警報音を拡散させることなく、スリットから放音することができるようになり、スピーカ部から発せられる警報音の音量や音質が低下するのをより確実に防止することができる。
【図面の簡単な説明】
【００１５】
【図１】電気機器の概要を示す斜視図である。
【図２】電気機器の分解斜視図である。
【図３】電気機器の要部断面図である。
【図４】封止体の要部概略図である。
【発明を実施するための形態】
【００１６】
以下、本発明の実施形態を図面に基づいて説明する。
本発明は、機器本体および当該機器本体の少なくとも一部を覆う封止体によって形成された筺体を有する電気機器の防水構造である。
【００１７】
図１〜４に示したように、当該電気機器Ｘは、機器本体１０および当該機器本体１０の少なくとも一部を覆う封止体２０を有する筺体Ｙと、筺体Ｙの内部に設けられ、外部環境の変化を検知する検知部３１、および、検知部３１からの出力信号を受けて報知するスピーカ部３２を配設した基板部３０と、を備える。
封止体２０には、スピーカ部３２が発した警報音を外部に放音するスピーカ開口部２４を形成し、スピーカ部３２および封止体２０の間に、スピーカ開口部２４からスピーカ部３２および筺体Ｙの内部へ水が浸入するのを防止する防水シート３２ｃを設けてある。
【００１８】
電機機器Ｘは、屋内や屋外で壁面に設置する態様であればどのような機器であってもよい。当該壁面に設置する電機機器としては、例えば防災用又は防犯用の警報器が挙げられる。当該警報器は、その内部に外部環境の変化を検知する検知部３１を備える。当該検知部３１は外部環境の変化を検知するセンサであればよく、このようなセンサとして、酸素センサ、ＣＯセンサ、都市ガスセンサ、ＬＰガスセンサなどのガスセンサ、火災センサなどを使用することができるが、これに限られるものではない。
【００１９】
ガスセンサは、被検知ガスを検知するものであればどのような態様であってもよい。例えば酸素センサは酸素ガスを検出でき、ＣＯセンサは不完全燃焼で発生する一酸化炭素ガスを検出でき、都市ガスセンサやＬＰガスセンサは炭化水素ガス等の漏洩ガスを検出することができるものであれば、公知の半導体式センサ素子、接触燃焼式センサ素子および電気化学式センサ素子などが使用できる。
火災センサは、温度の上昇を感知する温度センサや、煙感知機能を有する公知の散乱光式煙センサなどが使用できる。
【００２０】
本実施形態では、警報器として、不完全燃焼を検出するため、ＣＯガスの漏洩を検知するガス警報器Ｘを浴室の壁面に設置する態様について説明する。当該ガス警報器Ｘの形状は特に限定されるものではないが、本実施形態では上面視で矩形状であり、厚板状（例えば１２×７×２．５ｃｍ）の形状を呈するものを例示する。この場合、当該ガス警報器Ｘは、例えばその長辺を地面に垂直に設置する縦置き姿勢（設置姿勢）によって設置することができる。
【００２１】
機器本体１０は基板部３０を収容しており、底面１１と側面１２とを一体に形成して構成されている。即ち、底面１１および側面１２とで囲まれた空間に基板部３０が収容される。側面１２の端部（封止体２０の側）には、封止体２０と重ね配置される本体周縁端部１２ａが形成してある。本体周縁端部１２ａには、ガス警報器Ｘの周縁に沿うように溝部Ｂが形成してある。また、本体周縁端部１２ａには、その全周に亘って複数の止水リブ１２ｂが形成されており、溝部Ｂは、隣接する止水リブ１２ｂどうしの間の空間で構成される。溝部Ｂおよび止水リブ１２ｂは、水の浸入方向に対して略直交する方向に設けられているため、止水リブ１２ｂによって浸入してきた水を堰き止めることができる。堰き止められた水は溝部Ｂを伝ってガス警報器Ｘの下方に流れ落ちて外部に排出することができる。
【００２２】
封止体２０は、機器本体１０の少なくとも一部を覆う部材である。本実施形態では、封止体２０は、機器本体１０の全体を覆う場合について説明する。
【００２３】
封止体２０には、スピーカ部３２が発した警報音を外部に放音するスピーカ開口部２４、被検知ガスを検知部３１に導入する被検知ガス導入口２６、および、スイッチ操作を行うスイッチ押圧部２７が形成してあり、封止体２０の裏面に形成した凹部には、導光部２８や電池２９が配設してある。
尚、封止体２０の表面には封止板４０を貼り付けてある。当該封止板４０には、スピーカ開口部２４や被検知ガス導入口２６に対応するスピーカ開口部４４および被検知ガス導入口４６がそれぞれ形成してある。
【００２４】
基板部３０には、検知部３１、スピーカ部３２、ＬＥＤ３３およびスイッチ部３４などの部品が配設してある。本実施形態では、ＣＯガスを検知する検知部３１として、電気化学式ＣＯセンサを使用した場合について説明する。電気化学式ＣＯセンサとは、ＣＯガスを、隔膜を通して触媒作用を有する作用電極上に導き、ＣＯガスを酸化することによりガス濃度に応じた電圧または電流を出力するセンサである。スピーカ部３２は、検知部３１からの信号を受けて警報音を発するものであればどのような態様であってもよく、例えば圧電スピーカなどを使用することができる。ＬＥＤ３３が発した光は、導光部２８を介して外部に放出される。
【００２５】
検知部３１は、封止体２０から筺体Ｙの内部の側に向って立設した収容部２２に収容してある。当該収容部２２は、検知部３１である電気化学式ＣＯセンサを収容できる形態であればその形状は特に限定されるものではなく、本実施形態では、矩形状を呈する場合を例示する。収容部２２は、封止体２０の裏面から立設し、基板部３０によって収容部２２の矩形状の開口が塞がれる。
【００２６】
封止体２０の裏面には、封止体２０から筺体Ｙの内部の側に向って立設し、防水シート３２ｃの周縁の略全周と当接する筒状部２３が設けてある。スピーカ部３２の外周３２ａには、筒状部２３の係合部２３ｃと係合する突起部３２ｂが形成してある。
【００２７】
本発明の電気機器（ガス警報器）Ｘの防水構造は、防水シート３２ｃからスピーカ部３２の距離Ｌ１より、防水シート３２ｃから封止体２０の距離Ｌ２の方が大きくなるように設定してある（図３）。
【００２８】
本実施形態では、防水シート３２ｃからスピーカ部３２の距離Ｌ１は、防水シート３２ｃとスピーカ部３２のとの間に厚さＬ１の離間部材３２ｄを介在させることによって確保した場合について説明する。距離Ｌ１を変更する場合は、厚さの異なる離間部材３２ｄを使用すればよい。防水シート３２ｃから封止体２０の距離Ｌ２は、防水シート３２ｃの周縁の略全周と当接する筒状部２３の立設する高さによって規定される。
【００２９】
このように、本発明のガス警報器Ｘの防水構造は、単に、水シート３２ｃからスピーカ部３２の距離Ｌ１、および、防水シート３２ｃから封止体２０の距離Ｌ２を調節するだけで、防水シートを装着した状態でも音量に影響を及ぼし難い防水構造となる。よって、例えば防滴処理を施していないスピーカ部を備えた既設のガス警報器において、防水シート３２ｃを配置する際に、前記距離Ｌ１および距離Ｌ２を設定するだけで、警報音の音量や音質が低下し難い防水処理を簡便に施すことができる。
【００３０】
本実施形態では、封止体２０における防水シート３２ｃの側に、当該防水シート３２ｃに向けて突出する内方リブ２５を複数設けてある。また、スピーカ開口部２４を複数のスリットにより形成し、複数の内方リブ２５をスリットに沿って設けてある。
【００３１】
本実施形態ではスリットを４本形成し、隣接するスリットの間に内方リブ２５を１本ずつ、合計３本の内方リブ２５設けたものを示したが、このような態様に限定されるものではない。当該内方リブ２５および防水シート３２ｃとは接触させないように構成してある。
【００３２】
本構成では、隣接する内方リブ２５どうしの間で通路状の空間を形成することができ、当該空間を経由して、スリットから警報音を外部に放音することができる。そのため、外部に放音するまでは警報音を拡散させることなく、スリットから放音することができるようになり、スピーカ部３２から発せられる警報音の音量や音質が低下するのをより確実に防止することができる。
【産業上の利用可能性】
【００３３】
本発明は、屋内や屋外で壁面に設置される防災用又は防犯用の電気機器の防水構造に利用できる。
【符号の説明】
【００３４】
Ｘ          電気機器
Ｙ          筺体
Ｌ１        防水シートからスピーカ部の距離
Ｌ２        防水シートから封止体の距離
１０        機器本体
２０        封止体
２５        内方リブ
２４        スピーカ開口部
３１        検知部
３２        スピーカ部
３２ｃ      防水シート
【図１】
2014086962.tif 000003
【図２】
2014086962.tif 000004
【図３】
2014086962.tif 000005
【図４】
2014086962.tif 000006